(57)【要約】【課題】対戦相手以外のプレイヤの存在感を軽い通信負荷で演出できるネットワークゲームシステムを提供すること。【解決手段】複数の対戦ゲームを提供するゲームシステムにおいて、複数のゲーム端末と共に用いられるゲームサーバ１２において、対戦ゲームにおける対戦組を決定する対戦組決定部２２と、対戦組決定部２２により決定される対戦組に対応する各ゲーム端末に対戦ゲーム開始指示を送信する対戦ゲーム開始指示部３２と、対戦ゲーム開始指示に応じてゲーム端末が実行する対戦ゲームにおいて得点等の所定ゲームイベントが発生する場合に、該所定ゲームイベントの内容を表すイベント内容データを受信し、該イベント内容データに対応するパラメータ変更指示の宛先を決定するパラメータ変更指示先決定部２６と、パラメータ変更指示先決定部２６により決定される宛先に対して前記パラメータ変更指示を与えるパラメータ変更指示部３６と、を含むようにした。【選択図】　　　　図４
2004121420.tif 000002
【特許請求の範囲】
【請求項１】
ゲームサーバと複数のゲーム端末とを含み、複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示部手段と、を含み、
前記ゲーム端末は、
当該ゲーム端末に対応する対戦主体に関するパラメータを記憶するパラメータ記憶手段と、
前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記イベント内容受信手段により受信されるイベント内容データに対応するパラメータ変更指示の宛先を決定するパラメータ変更指示先決定手段と、
前記パラメータ変更指示先決定手段により決定される宛先に対して前記パラメータ変更指示を与えるパラメータ変更指示手段と、をさらに含み、
前記ゲーム端末は、
前記パラメータ変更指示手段により前記パラメータ変更指示を受ける場合に、前記パラメータ記憶手段に記憶されるパラメータを該パラメータ変更指示の内容に応じて更新するパラメータ更新手段をさらに含む、
ことを特徴とするゲームシステム。
【請求項２】
請求項１に記載のシステムにおいて、
前記ゲームサーバは、
前記イベント内容受信手段により受信されるイベント内容データに対応する文字、画像又は音声の出力指示の宛先を決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。
【請求項３】
請求項１又は２に記載のシステムにおいて、
前記ゲームサーバは、
前記対戦組決定手段により決定される対戦組を記憶する対戦組記憶手段をさらに含み、
前記パラメータ変更指示先決定手段は、前記対戦組記憶手段に記憶される対戦組に基づいて前記パラメータ変更指示の宛先を決定する、
ことを特徴とするゲームシステム。
【請求項４】
請求項１乃至３のいずれかに記載のシステムにおいて、
前記ゲームサーバは、
各対戦主体に関する成績を記憶する成績記憶手段をさらに含み、
前記パラメータ変更指示先決定手段は、前記成績記憶手段に記憶される各対戦主体に関する成績に基づいて前記パラメータ変更指示の宛先を決定する、
ことを特徴とするゲームシステム。
【請求項５】
請求項１乃至４のいずれかに記載のシステムにおいて、
前記パラメータ変更指示手段は、前記パラメータ変更指示を記憶するパラメータ変更指示記憶手段を含み、該パラメータ変更指示記憶手段から前記パラメータ変更指示を読み出して、前記パラメータ変更指示先決定手段により決定される宛先に対して該パラメータ変更指示を与える、
ことを特徴とするゲームシステム。
【請求項６】
請求項１乃至４のいずれかに記載のシステムにおいて、
前記パラメータ更新手段は、前記パラメータ変更指示手段により前記パラメータ変更指示を受ける場合に、該パラメータ変更指示を記憶するパラメータ変更指示記憶手段を含み、該パラメータ変更指示記憶手段から前記パラメータ変更指示を読み出して、前記パラメータ記憶手段に記憶されるパラメータを該パラメータ変更指示の内容に応じて更新する、
ことを特徴とするゲームシステム。
【請求項７】
ゲームサーバと複数のゲーム端末とを含み、複数の対戦ゲームを提供するゲームシステムの制御方法であって、
前記ゲームサーバにおいて、前記対戦ゲームにおける対戦組を決定する対戦組決定ステップと、
前記ゲームサーバにおいて、前記対戦組決定ステップで決定される対戦組に対応する各ゲーム端末に対戦ゲーム開始指示を送信する対戦ゲーム開始指示部ステップと、
前記ゲーム端末において、前記対戦ゲーム開始指示部ステップで送信される対戦ゲーム開始指示に応じて、パラメータ記憶手段に記憶される当該ゲーム端末に対応する主対戦に関するパラメータに基づく対戦ゲーム処理を実行する対戦ゲーム処理実行ステップと、
前記ゲーム端末において、前記対戦ゲーム処理実行ステップで実行される対戦ゲーム処理において所定ゲームイベントが発生する場合に、該所定ゲームイベントの内容を表すイベント内容データを前記ゲームサーバに送信するイベント内容データ送信ステップと、
前記ゲームサーバにおいて、前記イベント内容データ送信ステップで送信されるイベント内容データを受信するイベント内容受信ステップと、
前記ゲームサーバにおいて、前記イベント内容受信ステップで受信されるイベント内容データに対応するパラメータ変更指示の宛先を決定するパラメータ変更指示先決定ステップと、
前記ゲームサーバにおいて、前記パラメータ変更指示先決定ステップで決定される宛先に対して前記パラメータ変更指示を与えるパラメータ変更指示ステップと、
前記ゲーム端末において、前記パラメータ変更指示を受ける場合に、前記パラメータ記憶手段に記憶されるパラメータを該パラメータ変更指示の内容に応じて更新するパラメータ更新ステップと、
を含むことを特徴とする方法。
【請求項８】
複数の対戦ゲームを提供するゲームシステムにおいて、複数のゲーム端末と共に用いられるゲームサーバであって、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示部手段と、
前記対戦ゲーム開始指示に応じて前記ゲーム端末が実行する対戦ゲームにおいて所定ゲームイベントが発生する場合に、該所定ゲームイベントの内容を表すイベント内容データを受信し、該イベント内容データに対応するパラメータ変更指示の宛先を決定するパラメータ変更指示先決定手段と、
前記パラメータ変更指示先決定手段により決定される宛先に対して前記パラメータ変更指示を与えるパラメータ変更指示手段と、
を含むことを特徴とするゲームサーバ。
【請求項９】
複数の対戦ゲームを提供するゲームシステムにおいて、ゲームサーバ及び他のゲーム端末と共に用いられるゲーム端末であって、
当該ゲーム端末に対応する対戦主体に関するパラメータを記憶するパラメータ記憶手段と、
前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、
他のゲーム端末に係る前記イベント内容データに対応するパラメータ変更指示を受ける場合に、前記パラメータ記憶手段に記憶されるパラメータを該パラメータ変更指示の内容に応じて更新するパラメータ更新手段と、
を含むことを特徴とするゲーム端末。
【請求項１０】
複数の対戦ゲームを提供するゲームシステムにおいて、複数のゲーム端末と共に用いられるゲームサーバとしてコンピュータを機能させるためのプログラムであって、
前記対戦ゲームにおける対戦組を決定する対戦組決定手段、
前記対戦組決定手段により決定される対戦組に対応する各ゲーム端末に対戦ゲーム開始指示を送信する対戦ゲーム開始指示部手段、
前記対戦ゲーム開始指示に応じて前記ゲーム端末が実行する対戦ゲームにおいて所定ゲームイベントが発生する場合に、該所定ゲームイベントの内容を表すイベント内容データを受信し、該イベント内容データに対応するパラメータ変更指示の宛先を決定するパラメータ変更指示先決定手段、及び、
前記パラメータ変更指示先決定手段により決定される宛先に対して前記パラメータ変更指示を与えるパラメータ変更指示手段、
としてコンピュータを機能させるためのプログラム。
【請求項１１】
複数の対戦ゲームを提供するゲームシステムにおいて、ゲームサーバ及び他のゲーム端末と共に用いられるゲーム端末としてコンピュータを機能させるためのプログラムであって、
当該ゲーム端末に対応する対戦主体に関するパラメータを記憶するパラメータ記憶手段、
前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段、
前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段、及び、
他のゲームゲーム端末に係る前記イベント内容データに対応するパラメータ変更指示を受ける場合に、前記パラメータ記憶手段に記憶されるパラメータを該パラメータ変更指示の内容に応じて更新するパラメータ更新手段、
としてコンピュータを機能させるためのプログラム。
【請求項１２】
ゲームサーバと複数のゲーム端末とを含み、複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示部手段と、を含み、
前記ゲーム端末は、
当該ゲーム端末に対応する対戦主体に関するパラメータを記憶するパラメータ記憶手段と、
前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記イベント内容受信手段により受信されるイベント内容データに対応する文字、画像又は音声の出力指示の宛先を決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。
【発明の詳細な説明】
【０００１】
【発明の属する技術分野】
本発明はゲームシステム、ゲームシステムの制御方法及びプログラムに関し、特に複数の対戦ゲームを提供するゲームシステムに関する。
【０００２】
【従来の技術】
複数の通信対戦ゲームを実施して、トーナメント形式又はリーグ形式により、その優勝者を決定するネットワークゲームシステムが提案されている。こうしたネットワークゲームシステムによれば、例えば野球ゲームやサッカーゲーム等の分野で、全国規模又は世界規模の大会を実現することができる。
【０００３】
【発明が解決しようとする課題】
対戦組間で閉じて各対戦ゲームを実施して、次対戦相手の決定や優勝者の決定等の管理だけをゲームサーバを行うことにより、この種のネットワークゲームシステムを実現すると、ある対戦組で発生しているイベントが他の対戦組に係る対戦ゲームに影響することがない。このため、ネットワークゲームとは言っても、対戦相手以外のプレイヤの存在感が希薄となり、ネットワークゲームの持つ本来の面白みを実現できないおそれがある。一方で、各対戦組で発生するイベントを対戦組間で相互通知すれば、通信負荷が過大となってしまうという問題がある。
【０００４】
本発明は上記課題に鑑みてなされたものであって、その目的は、対戦相手以外のプレイヤの存在感を軽い通信負荷で演出できるネットワークゲームシステム、ネットワークゲームシステムの制御方法及びプログラムを提供することにある。
【０００５】
【課題を解決するための手段】
上記課題を解決するために、本発明に係るネットワークゲームシステムは、ゲームサーバと複数のゲーム端末とを含み、複数の対戦ゲームを提供するゲームシステムである。ここで、前記ゲームサーバは、前記対戦ゲームにおける対戦組を決定する対戦組決定手段と、前記対戦組決定手段により決定される対戦組に対応する各ゲーム端末に対戦ゲーム開始指示を送信する対戦ゲーム開始指示部手段と、を含む。
【０００６】
一方、前記ゲーム端末は、当該ゲーム端末に対応する対戦主体に関するパラメータを記憶するパラメータ記憶手段と、前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、を含む。
【０００７】
また、前記ゲームサーバは、前記イベント内容データ送信手段により送信されるイベント内容データを受信するイベント内容受信手段と、前記イベント内容受信手段により受信されるイベント内容データに対応するパラメータ変更指示の宛先を決定するパラメータ変更指示先決定手段と、前記パラメータ変更指示先決定手段により決定される宛先に対して前記パラメータ変更指示を与えるパラメータ変更指示手段と、をさらに含む。
【０００８】
また、前記ゲーム端末は、前記パラメータ変更指示手段により前記パラメータ変更指示を受ける場合に、前記パラメータ記憶手段に記憶されるパラメータを該パラメータ変更指示の内容に応じて更新するパラメータ更新手段をさらに含む。
【０００９】
また、本発明に係るゲームシステムの制御方法は、ゲームサーバと複数のゲーム端末とを含み、複数の対戦ゲームを提供するゲームシステムの制御方法であって、前記ゲームサーバにおいて、前記対戦ゲームにおける対戦組を決定する対戦組決定ステップと、前記ゲームサーバにおいて、前記対戦組決定ステップで決定される対戦組に対応する各ゲーム端末に対戦ゲーム開始指示を送信する対戦ゲーム開始指示部ステップと、前記ゲーム端末において、前記対戦ゲーム開始指示部ステップで送信される対戦ゲーム開始指示に応じて、パラメータ記憶手段に記憶される当該ゲーム端末に対応する主対戦に関するパラメータに基づく対戦ゲーム処理を実行する対戦ゲーム処理実行ステップと、前記ゲーム端末において、前記対戦ゲーム処理実行ステップで実行される対戦ゲーム処理において所定ゲームイベントが発生する場合に、該所定ゲームイベントの内容を表すイベント内容データを前記ゲームサーバに送信するイベント内容データ送信ステップと、前記ゲームサーバにおいて、前記イベント内容データ送信ステップで送信されるイベント内容データを受信するイベント内容受信ステップと、前記ゲームサーバにおいて、前記イベント内容受信ステップで受信されるイベント内容データに対応するパラメータ変更指示の宛先を決定するパラメータ変更指示先決定ステップと、前記ゲームサーバにおいて、前記パラメータ変更指示先決定ステップで決定される宛先に対して前記パラメータ変更指示を与えるパラメータ変更指示ステップと、前記ゲーム端末において、前記パラメータ変更指示を受ける場合に、前記パラメータ記憶手段に記憶されるパラメータを該パラメータ変更指示の内容に応じて更新するパラメータ更新ステップと、を含むことを特徴とする。
【００１０】
また、本発明に係るゲームサーバは、複数の対戦ゲームを提供するゲームシステムにおいて、複数のゲーム端末と共に用いられるゲームサーバであって、前記対戦ゲームにおける対戦組を決定する対戦組決定手段と、前記対戦組決定手段により決定される対戦組に対応する各ゲーム端末に対戦ゲーム開始指示を送信する対戦ゲーム開始指示部手段と、前記対戦ゲーム開始指示に応じて前記ゲーム端末が実行する対戦ゲームにおいて所定ゲームイベントが発生する場合に、該所定ゲームイベントの内容を表すイベント内容データを受信し、該イベント内容データに対応するパラメータ変更指示の宛先を決定するパラメータ変更指示先決定手段と、前記パラメータ変更指示先決定手段により決定される宛先に対して前記パラメータ変更指示を与えるパラメータ変更指示手段と、を含むことを特徴とする。
【００１１】
また、本発明に係るゲーム端末は、複数の対戦ゲームを提供するゲームシステムにおいて、ゲームサーバ及び他のゲーム端末と共に用いられるゲーム端末であって、当該ゲーム端末に対応する対戦主体に関するパラメータを記憶するパラメータ記憶手段と、前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、他のゲーム端末に係る前記イベント内容データに対応するパラメータ変更指示を受ける場合に、前記パラメータ記憶手段に記憶されるパラメータを該パラメータ変更指示の内容に応じて更新するパラメータ更新手段と、を含むことを特徴とする。
【００１２】
また、本発明に係るプログラムは、複数の対戦ゲームを提供するゲームシステムにおいて、複数のゲーム端末と共に用いられるゲームサーバとしてコンピュータを機能させるためのプログラムであって、前記対戦ゲームにおける対戦組を決定する対戦組決定手段、前記対戦組決定手段により決定される対戦組に対応する各ゲーム端末に対戦ゲーム開始指示を送信する対戦ゲーム開始指示部手段、前記対戦ゲーム開始指示に応じて前記ゲーム端末が実行する対戦ゲームにおいて所定ゲームイベントが発生する場合に、該所定ゲームイベントの内容を表すイベント内容データを受信し、該イベント内容データに対応するパラメータ変更指示の宛先を決定するパラメータ変更指示先決定手段、及び、前記パラメータ変更指示先決定手段により決定される宛先に対して前記パラメータ変更指示を与えるパラメータ変更指示手段、としてコンピュータを機能させるためのプログラムである。
【００１３】
また、本発明に係るプログラムは、複数の対戦ゲームを提供するゲームシステムにおいて、ゲームサーバ及び他のゲーム端末と共に用いられるゲーム端末としてコンピュータを機能させるためのプログラムであって、当該ゲーム端末に対応する対戦主体に関するパラメータを記憶するパラメータ記憶手段、前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段、前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段、及び、他のゲームゲーム端末に係る前記イベント内容データに対応するパラメータ変更指示を受ける場合に、前記パラメータ記憶手段に記憶されるパラメータを該パラメータ変更指示の内容に応じて更新するパラメータ更新手段、としてコンピュータを機能させるためのプログラムである。
【００１４】
本発明では、ゲーム端末で実行される対戦ゲーム処理において得点等の所定ゲームイベントが発生した場合に、該所定ゲームイベントの内容を表すイベント内容データ（データ）がゲームサーバに送信される。そして、ゲームサーバでは、該イベント内容データに対応するパラメータ変更指示の宛先を決定する。例えば、ある対戦組において得点イベントが発生した場合には、その裏試合に係る対戦組をパラメータ変更指示の宛先とする等である。ゲームサーバは、そうして決定した宛先にパラメータ変更指示を与える。その後、ゲーム端末は、このパラメータ変更指示を受けて、該ゲーム端末に対応する対戦主体（例えばスポーツチームやスポーツ選手等）に関するパラメータを更新する。本発明によれば、ゲームサーバからパラメータ変更指示を選択的にゲーム端末に与え、これに応じてゲーム端末が対戦ゲーム処理に関わるパラメータを更新するようにしたので、通信負荷を抑制しつつ、ネットワークゲームに参加している他のユーザの存在感を好適に演出することができる。
【００１５】
また、本発明の一態様では、前記ゲームサーバは、前記対戦組決定手段により決定される対戦組を記憶する対戦組記憶手段をさらに含み、前記パラメータ変更指示先決定手段は、前記対戦組記憶手段に記憶される対戦組に基づいて前記パラメータ変更指示の宛先を決定する。こうすれば、例えば裏試合を行っている対戦組に係るゲーム端末等を宛先とすることができる。
【００１６】
また、本発明の一態様では、前記ゲームサーバは、前記イベント内容受信手段により受信されるイベント内容データに対応する文字、画像又は音声の出力指示の宛先を決定する出力指示先決定手段と、前記出力指示先決定手段により決定される宛先に対して前記出力指示を与える出力指示手段と、をさらに含み、前記ゲーム端末は、前記出力指示手段により前記出力指示を受ける場合に、前記イベント内容データに対応する文字、画像又は音声を出力する出力手段をさらに含む。こうすれば、文字、画像又は音声（組合せでもよい）により、他のゲーム端末等におけるイベント内容データを直接的又は間接的にプレイヤに知らせることができる。
【００１７】
また、本発明の一態様では、前記ゲームサーバは、各対戦主体に関する成績を記憶する成績記憶手段をさらに含み、前記パラメータ変更指示先決定手段は、前記成績記憶手段に記憶される各対戦主体に関する成績に基づいて前記パラメータ変更指示の宛先を決定する。こうすれば、ある対戦主体について所定イベントが発生した場合に、近い成績に係る対戦主体に関するパラメータに変更を加えるようにでき、接戦状況を好適に演出することができる。
【００１８】
また、本発明の一態様では、前記パラメータ変更指示手段は、前記パラメータ変更指示を記憶するパラメータ変更指示記憶手段を含み、該パラメータ変更指示記憶手段から前記パラメータ変更指示を読み出して、前記パラメータ変更指示先決定手段により決定される宛先に対して該パラメータ変更指示を与える。前記パラメータ変更指示を読み出して、前記パラメータ変更指示先決定手段により決定される宛先に対して該パラメータ変更指示を与えるのは、例えば該宛先において次の対戦ゲームが開始される、或いは開始されたタイミングであってもよいし、該宛先において当該ゲームシステムの利用が開始されたタイミングであってもよい。
【００１９】
また、本発明の一態様では、前記パラメータ更新手段は、前記パラメータ変更指示手段により前記パラメータ変更指示を受ける場合に、該パラメータ変更指示を記憶するパラメータ変更指示記憶手段を含み、該パラメータ変更指示記憶手段から前記パラメータ変更指示を読み出して、前記パラメータ記憶手段に記憶されるパラメータを該パラメータ変更指示の内容に応じて更新する。前記パラメータ変更指示記憶手段から前記パラメータ変更指示を読み出して、前記パラメータ記憶手段に記憶されるパラメータを該パラメータ変更指示の内容に応じて更新するのは、例えば当該ゲーム端末において次の対戦ゲームが開始される、或いは開始されたタイミングであってもよい。
【００２０】
また、本発明に係るゲームシステムは、ゲームサーバと複数のゲーム端末とを含み、複数の対戦ゲームを提供するゲームシステムであって、前記ゲームサーバは、前記対戦ゲームにおける対戦組を決定する対戦組決定手段と、前記対戦組決定手段により決定される対戦組に対応する各ゲーム端末に対戦ゲーム開始指示を送信する対戦ゲーム開始指示部手段と、を含む。
【００２１】
また、前記ゲーム端末は、当該ゲーム端末に対応する対戦主体に関するパラメータを記憶するパラメータ記憶手段と、前記対戦ゲーム開始指示部手段により送信される対戦ゲーム開始指示に応じて、前記パラメータ記憶手段に記憶されるパラメータに基づく対戦ゲーム処理を実行する対戦ゲーム処理実行手段と、前記対戦ゲーム処理実行手段により実行される対戦ゲーム処理において所定ゲームイベントが発生する場合に、該所定ゲームイベントの内容を表すイベント内容データを前記ゲームサーバに送信するイベント内容データ送信手段と、を含む。
【００２２】
また、前記ゲームサーバは、前記イベント内容データ送信手段により送信されるイベント内容データを受信するイベント内容受信手段と、前記イベント内容受信手段により受信されるイベント内容データに対応する文字、画像又は音声の出力指示の宛先を決定する出力指示先決定手段と、前記出力指示先決定手段により決定される宛先に対して前記出力指示を与える出力指示手段と、をさらに含む。
【００２３】
また、前記ゲーム端末は、前記出力指示手段により前記出力指示を受ける場合に、前記イベント内容データに対応する文字、画像又は音声を出力する出力手段をさらに含む。こうしても、対戦相手以外のプレイヤの存在感を軽い通信負荷で演出できる。
【００２４】
【発明の実施の形態】
以下、本発明の一実施形態について図面に基づき詳細に説明する。
【００２５】
図１は、本発明の実施形態に係るネットワークゲームシステムの全体構成を示す図である。同図に示すように、このネットワークゲームシステム１０は、ゲームサーバ１２と、複数のゲーム端末１６Ａ〜１６Ｚを含んで構成されている。ゲームサーバ１２とゲーム端末１６はデータ通信ネットワークであるインターネット１４に接続されており、相互にデータ通信可能となっている。
【００２６】
ゲームサーバ１２は、例えばＣＰＵ、メモリ、ハードディスク記憶装置、ディスプレイ、入力装置等を含んで構成された公知のサーバコンピュータによって実現されるものであり、ネットワークゲームを管理する機能を有する。また、ゲーム端末１６は、例えばＣＰＵ、メモリ、ハードディスク記憶装置、ディスプレイ、入力装置等を含んで構成された公知のパーソナルコンピュータや、家庭用ゲーム機、携帯ゲーム機、業務用ゲーム機、携帯電話機、携帯情報端末等によって実現されるものであり、ユーザがネットワークゲームをプレイするのに用いられるものである。
【００２７】
このネットワークゲームシステム１０では、本ネットワークゲームの参加者であるプレイヤが複数組に分かれて、球技ゲーム、格闘技ゲーム、戦闘ゲーム、レースゲーム等に関し、ゲーム端末１６Ａ〜１６Ｚを利用して対戦プレイするとともに、そうした対戦プレイを所定回に亘って繰り返すことによって、最終的に優勝者を決定するようになっている。このため、ゲームサーバ１２では、トーナメント方式やリーグ方式等により対戦組を事前に或いは都度決定し、対戦組に係る両ゲーム端末１６に対して対戦ゲーム開始指示を与えるようになっている。
【００２８】
ゲーム端末１６には、共通のゲームプログラムが事前にインストールされており、該対戦ゲーム開始指示に応じてゲームを開始させるようになっている。そして、プレイヤによるゲーム操作によって両ゲーム端末１６において生じた事象を、インターネット１４を介して授受し、共有化することにより、対戦プレイを実現するようにしている。このとき、対戦組に係る両ゲーム端末１６におけるデータ通信はゲームサーバ１２が中継するようにしてもよいし、両ゲーム端末１６間で直接行ってもよい。また、対戦組のうち一部について、ゲームサーバ１２やゲーム端末１６において、一方のプレイヤのゲーム操作を自動的に行うようにしてよい。すなわち、対戦組の一部において、他のプレイヤではなくコンピュータを相手として対戦ゲームを行うようにしてよい。
【００２９】
このネットワークゲームシステム１０の特徴の一つは、ある対戦において発生した得点等のイベントがゲーム端末１６からゲームサーバ１２に通知され、そのイベントに関連する他の対戦に係るゲーム端末１６に対して、パラメータ変更指示がインターネット１４を介して送信されることである。また、他の特徴は、そうしたイベントに関連する他の対戦に係るゲーム端末１６に対して、該イベントに関連したメッセージ、画像及び音声の出力が指示されることである。ゲーム端末１６では、パラメータ変更指示を受信すると、それに応じて対戦主体（チームや選手等）に関するパラメータを更新する。このため、他の対戦において発生したイベントに応じて、別の対戦の対戦主体に変化が表れるようになる。また、ゲーム端末１６では、メッセージ等出力指示を受信すると、それに応じてメッセージを表示又は音声により出力したり、対戦主体の画像を変化させたりする。
【００３０】
図２は、ネットワークゲームシステム１０において、リーグ形式又はトーナメント形式の野球対戦ゲームを実現する場合において、ゲーム端末１６のディスプレイに表示されるゲーム画面例を示している。同図に示すように、野球対戦ゲームをプレイしているとき、対戦主体に係る画像（自チーム選手画像）がディスプレイに表示されるとともに、対戦相手に係る画像（相手チーム選手画像）がディスプレイに表示される。そして、ゲームコントローラ等の入力装置を用いて対戦主体を操作することにより、相手プレイヤ又はコンピュータと野球の勝敗を争う。このとき、他の関連ある対戦において得点や安打等のイベントが発生すると、画面下側にウィンドウが表れ、そこに該イベントの内容を表すメッセージが表示されるようになっている。このメッセージは、イベントの内容を直接的に表すものであってよいし、間接的に表すものであってもよい。さらに、このネットワークゲームシステム１０では、他の関連ある対戦において得点や安打等のイベントが発生すると、自チーム選手画像や他チーム選手画像に変化が表れるようになっている。例えば、他の対戦において、ある選手が打率争いを繰り広げているライバル選手がヒットを打った場合には、その選手が力を入れて素振りをするよう選手画像が動かされる。また、他の対戦において、ライバルチームの優勝が決定した場合には、選手が肩を落とすよう選手画像が動かされる。
【００３１】
また、本発明は野球ゲーム以外にも適用可能である。例えばリーグ形式又はトーナメント形式のサッカー対戦ゲームを実現する場合は、図３に示すように、球技場を平面視した画像等がゲーム端末１６のディスプレイに表示されるとともに、他の関連ある対戦において得点等のイベントが発生した場合には、それを通知するメッセージが画面下側のウィンドウに表示されるようになっている。このとき、同イベントに応じて、自チーム又は相手チームの布陣が守備的に変わったり、逆に攻撃的に変わったりする。また、得点王争いをしているストライカーに関するパラメータ、例えばシュート成功率を表すパラメータに変化が表れる。
【００３２】
図４は、ゲームサーバ１２において実現される機能のうち、本発明に関連するものを中心として示す機能ブロック図である。同図に示すように、ゲームサーバ１２において実現される機能には、プレイヤデータベース２０、対戦組決定部２２、データベース更新部２４、パラメータ変更指示先決定部２６、メッセージ等出力指示先決定部２８、ログイン処理部３０、対戦ゲーム開始指示部３２、イベント内容受信部３４、パラメータ変更指示部３６及びメッセージ等出力指示部３８が含まれる。これらの機能は、ゲームサーバ１２がネットワークゲーム管理用のプログラムを実行することによって実現されるものである。
【００３３】
まず、プレイヤデータベース２０は、ＲＡＭ等のメモリやハードディスク記憶装置等を含んで構成されるものであり、ユーザテーブル、チームテーブル、順位表データ、ランキングデータ及び対戦組データを記憶する。図５は、ユーザテーブルの一例を示す図である。同図に示すように、ユーザテーブルは、ユーザＩＤと、ログインフラグと、チームＩＤと、を対応づけてなる。ここで、ユーザＩＤは、本ネットワークゲームの参加者を識別する情報である。ログインフラグは、対応するユーザが、現在ゲーム端末１６からゲームサーバ１２にログインしているか否かを示すフラグである。また、チームＩＤは、対応するユーザがゲーム端末において対戦主体としてゲーム操作の対象とする野球チームを識別する情報である。また、図６は、チームテーブルの一例を示す図である。同図に示すように、チームテーブルは、チームＩＤと、選手ＩＤ群と、を対応づけてなる。ここで、選手ＩＤ群は、対応づけて同テーブルに記憶されているチームＩＤによって識別される野球チームの全メンバーを識別する選手ＩＤである。また、図７は、順位表データの一例を示す図である。順位表データは、当該ネットワークゲームにおける各ユーザの順位及びその内容（勝ち試合数、負け試合数、引き分け試合数、勝率）を記録したものである。また、図８は、ランキングデータの一例を示す図である。ランキングデータは、プレイヤが操作対象とする対戦主体（チーム）を構成する要素（選手）のうち、ある分野について個人成績の優秀なものについて、その順位及び成績を記録したものである。さらに、図９は、対戦組データの一例を示す図である。対戦組データは、現在対戦中の野球チームのチームＩＤを対戦組に従って組み合わせたものである。この対戦組データを参照することにより、ゲームサーバ１２は、どのチームとどのチームが現在対戦しているかを判断することができる。
【００３４】
ログイン処理部３０は、ゲーム端末１６からアクセスがあった場合に、ユーザＩＤ及びパスワードを伴うログイン要求を受け付けて、それが真正なパスワードを伴うものであれば、該ユーザＩＤに係るプレイヤに対するネットワークゲームの提供を許可するとともに、現在ログイン中であることをプレイヤデータベース２０に記録する。具体的には、プレイヤデータベース２０に記録されたユーザテーブルにおいて、ログインユーザのユーザＩＤに対応するログインフラグを、ログイン中を表すものとなるよう更新する。
【００３５】
また、対戦組決定部２２は、プレイヤデータベース２０の記憶内容に基づいてトーナメント形式又はリーグ形式で対戦組を決定する。すなわち、対戦組決定部２２は、ユーザテーブルにおいてログインフラグがログイン中であることを表しているユーザを２人ずつペアとする。そして、そのユーザが対戦主体として操作対象とする野球チームのチームＩＤを組にして対戦組データを生成し、それをプレイヤデータベース２０に記憶させる。対戦ゲーム開始指示部３２は、対戦組決定部２２により決定される対戦組に対応する各ゲーム端末１６に対戦ゲーム開始指示を、インターネット１４を介して送信する。
【００３６】
イベント内容受信部３４は、ゲーム端末１６から送信されるイベント内容データを、インターネット１４を介して受信する。イベント内容データは、イベント種類を識別するＩＤ及び当該イベントに関与した選手ＩＤ（例えば本塁打イベントが発生した場合には、当該本塁打を打った打者や打たれた投手の選手ＩＤ）を含む。
【００３７】
また、パラメータ変更指示先決定部２６は、イベント内容受信部３４により受信されるイベント内容データに対応するパラメータ変更指示の宛先を決定する。例えば、パラメータ変更指示先決定部２６は、プレイヤデータベース２０に記憶される対戦組データに基づいて前記パラメータ変更指示の宛先を、例えば裏試合を行っているゲーム端末１６等に決定する。また、パラメータ変更指示先決定部２６は、プレイヤデータベース２０に記憶される各対戦主体に関する成績、つまり順位表データやランキングデータに基づいて、例えばライバルチーム、或いはライバル選手が所属するチームの対戦が行われているゲーム端末１６等に決定する。パラメータ変更指示部３６は、パラメータ変更指示先決定手段により決定される宛先（ゲーム端末１６）に対してパラメータ変更指示を送信する。このパラメータ変更指示は、パラメータ種類を特定するＩＤを含む。以上のようにして、ある対戦組における所定ゲームイベントの発生に起因して、そのゲームイベントに関連の深い他のゲーム端末１６に対し、パラメータ変更指示を送信するようにしている。なお、パラメータ変更指示部３６をメモリ等の記憶手段を含んで構成するようにして、該記憶手段にパラメータ変更指示を一時記憶可能としておき、該パラメータ変更指示の宛先であるゲーム端末１６の状況（対戦ゲーム中であるか否か、ゲームサーバ１２にログイン中であるか否か等）に応じたタイミングで、そこからパラメータ変更指示を読み出し、宛先であるゲーム端末１６に送信するようにしてもよい。
【００３８】
また、対戦組のうち一部について、プレイヤの対戦相手をゲームサーバ１２やゲーム端末１６等のコンピュータが務めるようにした場合、パラメータ変更指示先２６はそれらをパラメータ変更指示の宛先として決定してよい。また、パラメータ変更指示決定部２６は、ゲーム端末１６からイベント内容データを受信した場合に、それに対応するパラメータ変更指示を必ずどこかのゲーム端末１６に送信しなければならないという訳ではなく、例えば所定成績以上のチームに関するイベント内容データや所定成績以上の選手に関するイベント内容データのみ、パラメータ変更指示の対象としてもよい。
【００３９】
メッセージ等出力指示先決定部２８は、イベント内容受信部３４により受信されるイベント内容データに対応する文字又は音声（メッセージ）或いは画像（素振り等する選手画像）の出力指示の宛先を決定する。また、メッセージ等出力指示部３８は、メッセージ等出力指示先決定部２８により決定される宛先に対して出力指示を与える。
【００４０】
次に、図１０は、ゲーム端末１６において実現される機能のうち、本発明に関連するものを中心として示す機能ブロック図である。同図に示すように、ゲーム端末１６において実現される機能には、ゲームデータベース４０、制御部４２、操作部４４及び通信部４６が含まれる。そして、操作部４４には、パラメータ更新部４８、対戦ゲーム処理実行部５０及びメッセージ等出力部５２が含まれる。これらの機能は、ゲーム端末１６がネットワークゲーム用プログラムを実行することによって実現されるものである。
【００４１】
まず、ゲームデータベース４０は、対戦主体たる野球チームのパラメータを記憶するものである。図１１は、ゲームデータベース４０に記憶されるパラメータの一例を示す図である。同図に示すように、ゲームデータベース４０には、対戦主体たるチームに所属する全選手の各種パラメータが記憶されるようになっている。同ゲームデータベース４０には、その他、チーム全体の挙動を決定するパラメータも記憶されている（図示せず）。
【００４２】
対戦ゲーム処理実行部５０は、対戦ゲーム開始指示部３２により送信される対戦ゲーム開始指示を受信したとき、ゲームデータベース４０に記憶されるパラメータに基づいて対戦ゲーム処理を実行する。このとき、対戦ゲーム処理実行部５０は、対戦の模様をディスプレイに表示するとともに、歓声、場内アナウンス、打撃音等の各種音声をスピーカーから出力する。また、対戦ゲームにおいて、所定イベント、具体的には得点イベント、安打イベントが発生したとき、そのイベントの種類を特定するデータ（イベント種類特定ＩＤ）及びそのイベントに関与した選手の選手ＩＤを含むイベント内容データの送信を通信部４６に指示する。そして、通信部４６は、そのイベント内容データをゲームサーバ１２に送信する。
【００４３】
また、パラメータ更新部４８は、ゲームサーバ１２からパラメータ変更指示を受けた場合に、ゲームデータベース４０に記憶されるパラメータを同パラメータ変更指示の内容に応じて更新する。なお、パラメータ更新部４８をメモリ等の記憶手段を含んで構成するようにして、該記憶手段にパラメータ変更指示を記憶しておき、当該ゲーム端末１６の状況（例えば対戦ゲーム中であるか否か等）に応じたタイミングで、該パラメータ変更指示を読み出し、その内容に応じてパラメータを変更するようにしてもよい。メッセージ等出力部５２は、ゲームサーバ１２からメッセージ等の出力指示を受けた場合に、それに応じて選手画像に変化を与えたり、イベント内容を表すメッセージを表示したり、メッセージを音声出力したりする。
【００４４】
以上説明したネットワークゲームシステム１０によれば、ある対戦組において発生したゲームイベントを他の関連の深いプレイヤに係るゲーム端末に通知して、それに応じてゲームを変化させることができる。例えば、上記のような野球対戦ゲームでは、ある選手がホームランを打てば、その選手のライバルのパラメータが変化する。例えば長打力パラメータを上昇させる一方、安打率パラメータを低下させる。これにより、同選手はライバルの活躍に刺激されている様子を好適に演出することができる。また、ある選手があるコースの投球に対してホームランを打てば、その選手とその後に対戦するコンピュータは同じコースに投球しないという演出も可能である。
【００４５】
なお、本発明は上記実施形態に限定されるものではない。
【００４６】
例えば、本発明をサッカー対戦ゲームに適用して、ある選手がゴールをあげれば、そのライバル選手の移動速度パラメータ、ボール奪取成功率パラメータ、シュート成功率パラメータ等が変化するようにしてもよい。このとき、選手個人のパラメータに変化が与えられるようにしてもよいし、チーム全体に対して与えられたパラメータに変化が与えられてもよい。或いは、チーム全員の個人パラメータに変化が与えられてもよい。さらに、本発明を格闘対戦ゲームに適用して、他の対戦においてある選手が怪我をすると、それに応じて他の選手のパラメータに変化が与えられるようにしてもよい。また、パラメータ変更指示先決定部２６は、プレイヤが例えばゲーム端末１６から、どのチーム／選手に関してどのイベントが発生した場合に、どのチーム／選手に関するパラメータに変更を加えるか、を設定可能としておき、該設定内容に基づいてパラメータ変更指示の宛先を決定するようにしてもよい。こうすれば、プレイヤが自らライバル関係等を設定することができる。
【００４７】
【発明の効果】
以上説明したように、本発明によれば、比較的軽い通信負荷で、対戦相手以外のプレイヤの存在感を演出することができる。
【図面の簡単な説明】
【図１】本発明の実施形態に係るネットワークゲームシステムの全体構成を示す図である。
【図２】野球ゲームを実現する場合の画面例を示す図である。
【図３】サッカーゲームを実現する場合の画面例を示す図である。
【図４】ゲームサーバの機能ブロック図である。
【図５】ユーザテーブルの一例を示す図である。
【図６】チームテーブルの一例を示す図である。
【図７】順位表データの一例を示す図である。
【図８】ランキングデータの一例を示すである。
【図９】対戦組データの一例を示す図である。
【図１０】ゲーム端末の機能ブロック図である。
【図１１】ゲーム端末に記憶されるパラメータの一例を示す図である。
【符号の説明】
１０　ネットワークゲームシステム、１２　ゲームサーバ、１４　インターネット、１６　ゲーム端末、２０　プレイヤデータベース、２２　対戦組決定部、２４　データベース更新部、２６　パラメータ変更指示先決定部、２８　メッセージ等出力指示先決定部、３０　ログイン処理部、３２　対戦ゲーム開始指示部、３４　イベント内容受信部、３６　パラメータ変更指示部、３８　メッセージ等出力指示部、４０　ゲームデータベース、４２　制御部、４４　操作部、４６通信部、４８　パラメータ更新部、５０　対戦ゲーム処理実行部、５２　メッセージ等出力部。
【図１】
2004121420.tif 000003
【図２】
2004121420.tif 000004
【図３】
2004121420.tif 000005
【図４】
2004121420.tif 000006
【図５】
2004121420.tif 000007
【図６】
2004121420.tif 000008
【図７】
2004121420.tif 000009
【図８】
2004121420.tif 000010
【図９】
2004121420.tif 000011
【図１０】
2004121420.tif 000012
【図１１】
2004121420.tif 000013
【手続補正書】
【提出日】平成15年5月1日(2003.5.1)
【手続補正１】
【補正対象書類名】明細書
【補正対象項目名】特許請求の範囲
【補正方法】変更
【補正の内容】
【特許請求の範囲】
【請求項１】
ゲームサーバと複数のゲーム端末とを含み、要素が所属する対戦主体により行う複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、を含み、
前記ゲーム端末は、
当該ゲーム端末に対応する対戦主体に所属する要素に関するパラメータを記憶するパラメータ記憶手段と、
前記対戦ゲーム開始指示手段により送信される対戦ゲーム開始指示に応じて、前記パラメータ記憶手段に記憶される前記要素に関するパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントに関与した要素の識別情報を含むイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記成績記憶手段の記憶内容と前記イベント内容受信手段により受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段と、
前記パラメータ変更指示先決定手段により決定される宛先に対して前記パラメータ変更指示を与えるパラメータ変更指示手段と、をさらに含み、
前記ゲーム端末は、
前記パラメータ変更指示手段により前記パラメータ変更指示を受ける場合に、前記パラメータ記憶手段に記憶される前記他の要素に関するパラメータを該パラメータ変更指示の内容に応じて更新するパラメータ更新手段をさらに含む、
ことを特徴とするゲームシステム。
【請求項２】
請求項１に記載のシステムにおいて、
前記ゲームサーバは、
前記イベント内容受信手段により受信されるイベント内容データに対応する文字、画像又は音声の出力指示の宛先を決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。
【請求項３】
請求項１又は２に記載のシステムにおいて、
前記ゲームサーバは、
前記対戦組決定手段により決定される対戦組を記憶する対戦組記憶手段をさらに含み、
前記パラメータ変更指示先決定手段は、前記対戦組記憶手段に記憶される対戦組に基づいて前記パラメータ変更指示の宛先を決定する、
ことを特徴とするゲームシステム。
【請求項４】
請求項１乃至３のいずれかに記載のシステムにおいて、
前記パラメータ変更指示手段は、前記パラメータ変更指示を記憶するパラメータ変更指示記憶手段を含み、該パラメータ変更指示記憶手段から前記パラメータ変更指示を読み出して、前記パラメータ変更指示先決定手段により決定される宛先に対して該パラメータ変更指示を与える、
ことを特徴とするゲームシステム。
【請求項５】
請求項１乃至３のいずれかに記載のシステムにおいて、
前記パラメータ更新手段は、前記パラメータ変更指示手段により前記パラメータ変更指示を受ける場合に、該パラメータ変更指示を記憶するパラメータ変更指示記憶手段を含み、該パラメータ変更指示記憶手段から前記パラメータ変更指示を読み出して、前記パラメータ記憶手段に記憶されるパラメータを該パラメータ変更指示の内容に応じて更新する、
ことを特徴とするゲームシステム。
【請求項６】
ゲームサーバと複数のゲーム端末とを含み、要素が所属する対戦主体により行う複数の対戦ゲームを提供するゲームシステムの制御方法であって、
前記ゲームサーバが、前記対戦ゲームにおける対戦組を決定する対戦組決定ステップと、
前記ゲームサーバが、前記対戦組決定ステップで決定される対戦組に対応する各ゲーム端末に対戦ゲーム開始指示を送信する対戦ゲーム開始指示ステップと、前記ゲームサーバが、前記対戦ゲームにおいて発生する要素に関する所定ゲームイベントについて要素の順位及び成績を成績記憶手段に記憶する成績記憶ステップと、
前記ゲーム端末が、前記対戦ゲーム開始指示ステップで送信される対戦ゲーム開始指示に応じて、パラメータ記憶手段に記憶される当該ゲーム端末に対応する前記要素に関するパラメータに基づく対戦ゲーム処理を実行する対戦ゲーム処理実行ステップと、
前記ゲーム端末が、前記対戦ゲーム処理実行ステップで実行される対戦ゲーム処理において所定ゲームイベントが発生する場合に、該所定ゲームイベントに関与した要素の識別情報を含むイベント内容データを前記ゲームサーバに送信するイベント内容データ送信ステップと、
前記ゲームサーバが、前記イベント内容データ送信ステップで送信されるイベント内容データを受信するイベント内容受信ステップと、
前記ゲームサーバが、前記成績記憶手段の記憶内容と前記イベント内容受信ステップにおいて受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定ステップと、
前記ゲームサーバが、前記パラメータ変更指示先決定ステップで決定される宛先に対して前記パラメータ変更指示を与えるパラメータ変更指示ステップと、
前記ゲーム端末が、前記パラメータ変更指示を受ける場合に、前記パラメータ記憶手段に記憶される前記他の要素に関するパラメータを該パラメータ変更指示の内容に応じて更新するパラメータ更新ステップと、
を含むことを特徴とする方法。
【請求項７】
要素が所属する対戦主体により行う複数の対戦ゲームを提供するゲームシステムにおいて、複数のゲーム端末と共に用いられるゲームサーバであって、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、
前記対戦ゲーム開始指示に応じて前記ゲーム端末が実行する対戦ゲームにおいて所定ゲームイベントが発生する場合に、該所定ゲームイベントに関与した要素の識別情報を含むイベント内容データを受信し、前記成績記憶手段の記憶内容と前記受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段と、
前記パラメータ変更指示先決定手段により決定される宛先に対して前記パラメータ変更指示を与えるパラメータ変更指示手段と、
を含むことを特徴とするゲームサーバ。
【請求項８】
要素が所属する対戦主体により行う複数の対戦ゲームを提供するゲームシステムにおいて、複数のゲーム端末と共に用いられるゲームサーバとしてコンピュータを機能させるためのプログラムであって、
前記対戦ゲームにおける対戦組を決定する対戦組決定手段、
前記対戦組決定手段により決定される対戦組に対応する各ゲーム端末に対戦ゲーム開始指示を送信する対戦ゲーム開始指示手段、
前記対戦ゲームにおいて発生する要素に関する所定ゲームイベントについて要素の順位及び成績を記憶する成績記憶手段、
前記対戦ゲーム開始指示に応じて前記ゲーム端末が実行する対戦ゲームにおいて所定ゲームイベントが発生する場合に、該所定ゲームイベントに関与した要素の識別情報を含むイベント内容データを受信し、前記成績記憶手段の記憶内容と前記受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段、及び、前記パラメータ変更指示先決定手段により決定される宛先に対して前記パラメータ変更指示を与えるパラメータ変更指示手段、
としてコンピュータを機能させるためのプログラム。
【請求項９】
ゲームサーバと複数のゲーム端末とを含み、要素が所属する対戦主体により行う複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、を含み、
前記ゲーム端末は、
当該ゲーム端末に対応する対戦主体に所属する要素に関するパラメータを記憶するパラメータ記憶手段と、
前記対戦ゲーム開始指示手段により送信される対戦ゲーム開始指示に応じて、前記パラメータ記憶手段に記憶される前記要素に関するパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントに関与した要素の識別情報を含むイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記イベント内容受信手段により受信されるイベント内容データに対応する文字、画像又は音声の出力指示の宛先を決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。
【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
ゲームサーバと複数のゲーム端末とを含み、要素が所属する対戦主体により行う複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、を含み、
前記ゲーム端末は、
当該ゲーム端末に対応する対戦主体に所属する要素に関するパラメータを記憶するパラメータ記憶手段と、
前記対戦ゲーム開始指示手段により送信される対戦ゲーム開始指示に応じて、前記パラメータ記憶手段に記憶される前記要素に関するパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントに関与した要素の識別情報を含むイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記成績記憶手段の記憶内容と前記イベント内容受信手段により受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段と、
前記パラメータ変更指示先決定手段により決定される宛先に対して前記パラメータ変更指示を与えるパラメータ変更指示手段と、をさらに含み、
前記ゲーム端末は、
前記パラメータ変更指示手段により前記パラメータ変更指示を受ける場合に、前記パラメータ記憶手段に記憶される前記他の要素に関するパラメータを該パラメータ変更指示の内容に応じて更新するパラメータ更新手段をさらに含む、
ことを特徴とするゲームシステム。
【請求項２】
請求項１に記載のシステムにおいて、
前記ゲームサーバは、
前記イベント内容受信手段により受信されるイベント内容データに対応する文字、画像又は音声の出力指示の宛先を決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。
【請求項３】
請求項１又は２に記載のシステムにおいて、
前記ゲームサーバは、
前記対戦組決定手段により決定される対戦組を記憶する対戦組記憶手段をさらに含み、　前記パラメータ変更指示先決定手段は、前記対戦組記憶手段に記憶される対戦組に基づいて前記パラメータ変更指示の宛先を決定する、
ことを特徴とするゲームシステム。
【請求項４】
請求項１乃至３のいずれかに記載のシステムにおいて、
前記パラメータ変更指示手段は、前記パラメータ変更指示を記憶するパラメータ変更指示記憶手段を含み、該パラメータ変更指示記憶手段から前記パラメータ変更指示を読み出して、前記パラメータ変更指示先決定手段により決定される宛先に対して該パラメータ変更指示を与える、
ことを特徴とするゲームシステム。
【請求項５】
請求項１乃至３のいずれかに記載のシステムにおいて、
前記パラメータ更新手段は、前記パラメータ変更指示手段により前記パラメータ変更指示を受ける場合に、該パラメータ変更指示を記憶するパラメータ変更指示記憶手段を含み、該パラメータ変更指示記憶手段から前記パラメータ変更指示を読み出して、前記パラメータ記憶手段に記憶されるパラメータを該パラメータ変更指示の内容に応じて更新する、
ことを特徴とするゲームシステム。
【請求項６】
ゲームサーバと複数のゲーム端末とを含み、要素が所属する対戦主体により行う複数の対戦ゲームを提供するゲームシステムの制御方法であって、
前記ゲームサーバが、前記対戦ゲームにおける対戦組を決定する対戦組決定ステップと、
前記ゲームサーバが、前記対戦組決定ステップで決定される対戦組に対応する各ゲーム端末に対戦ゲーム開始指示を送信する対戦ゲーム開始指示ステップと、
前記ゲームサーバが、前記対戦ゲームにおいて発生する要素に関する所定ゲームイベントについて要素の順位及び成績を成績記憶手段に記憶する成績記憶ステップと、
前記ゲーム端末が、前記対戦ゲーム開始指示ステップで送信される対戦ゲーム開始指示に応じて、パラメータ記憶手段に記憶される当該ゲーム端末に対応する前記要素に関するパラメータに基づく対戦ゲーム処理を実行する対戦ゲーム処理実行ステップと、
前記ゲーム端末が、前記対戦ゲーム処理実行ステップで実行される対戦ゲーム処理において所定ゲームイベントが発生する場合に、該所定ゲームイベントに関与した要素の識別情報を含むイベント内容データを前記ゲームサーバに送信するイベント内容データ送信ステップと、
前記ゲームサーバが、前記イベント内容データ送信ステップで送信されるイベント内容データを受信するイベント内容受信ステップと、
前記ゲームサーバが、前記成績記憶手段の記憶内容と前記イベント内容受信ステップにおいて受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定ステップと、
前記ゲームサーバが、前記パラメータ変更指示先決定ステップで決定される宛先に対して前記パラメータ変更指示を与えるパラメータ変更指示ステップと、
前記ゲーム端末が、前記パラメータ変更指示を受ける場合に、前記パラメータ記憶手段に記憶される前記他の要素に関するパラメータを該パラメータ変更指示の内容に応じて更新するパラメータ更新ステップと、
を含むことを特徴とする方法。
【請求項７】
要素が所属する対戦主体により行う複数の対戦ゲームを提供するゲームシステムにおいて、複数のゲーム端末と共に用いられるゲームサーバであって、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、
前記対戦ゲーム開始指示に応じて前記ゲーム端末が実行する対戦ゲームにおいて所定ゲームイベントが発生する場合に、該所定ゲームイベントに関与した要素の識別情報を含むイベント内容データを受信し、前記成績記憶手段の記憶内容と前記受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段と、
前記パラメータ変更指示先決定手段により決定される宛先に対して前記パラメータ変更指示を与えるパラメータ変更指示手段と、
を含むことを特徴とするゲームサーバ。
【請求項８】
要素が所属する対戦主体により行う複数の対戦ゲームを提供するゲームシステムにおいて、複数のゲーム端末と共に用いられるゲームサーバとしてコンピュータを機能させるためのプログラムであって、
前記対戦ゲームにおける対戦組を決定する対戦組決定手段、
前記対戦組決定手段により決定される対戦組に対応する各ゲーム端末に対戦ゲーム開始指示を送信する対戦ゲーム開始指示手段、
前記対戦ゲームにおいて発生する要素に関する所定ゲームイベントについて要素の順位及び成績を記憶する成績記憶手段、
前記対戦ゲーム開始指示に応じて前記ゲーム端末が実行する対戦ゲームにおいて所定ゲームイベントが発生する場合に、該所定ゲームイベントに関与した要素の識別情報を含むイベント内容データを受信し、前記成績記憶手段の記憶内容と前記受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、パラメータ変更指示の宛先として決定するパラメータ変更指示先決定手段、及び、
前記パラメータ変更指示先決定手段により決定される宛先に対して前記パラメータ変更指示を与えるパラメータ変更指示手段、
としてコンピュータを機能させるためのプログラム。
【請求項９】
ゲームサーバと複数のゲーム端末とを含み、要素が所属する対戦主体により行う複数の対戦ゲームを提供するゲームシステムであって、
前記ゲームサーバは、
前記対戦ゲームにおける対戦組を決定する対戦組決定手段と、
前記対戦組決定手段により決定される対戦組に対応する各ゲーム端末に対戦ゲーム開始指示を送信する対戦ゲーム開始指示手段と、
前記対戦ゲームにおいて発生する要素に関する所定ゲームイベントについて要素の順位及び成績を記憶する成績記憶手段と、を含み、
前記ゲーム端末は、
当該ゲーム端末に対応する対戦主体に所属する要素に関するパラメータを記憶するパラメータ記憶手段と、
前記対戦ゲーム開始指示手段により送信される対戦ゲーム開始指示に応じて、前記パラメータ記憶手段に記憶される前記要素に関するパラメータに基づく対戦ゲーム処理を実行する対戦ゲーム処理実行手段と、
前記対戦ゲーム処理実行手段により実行される対戦ゲーム処理において所定ゲームイベントが発生する場合に、該所定ゲームイベントに関与した要素の識別情報を含むイベント内容データを前記ゲームサーバに送信するイベント内容データ送信手段と、を含み、
前記ゲームサーバは、
前記イベント内容データ送信手段により送信されるイベント内容データを受信するイベント内容受信手段と、
前記成績記憶手段の記憶内容と前記イベント内容受信手段により受信されるイベント内容データに含まれる要素の識別情報とに基づいて、前記成績記憶手段に順位及び成績が記憶される要素のうち、該識別情報により識別される要素に関連する他の要素が所属する対戦主体に対応するゲーム端末を、文字、画像又は音声の出力指示の宛先として決定する出力指示先決定手段と、
前記出力指示先決定手段により決定される宛先に対して前記出力指示を与える出力指示手段と、をさらに含み、
前記ゲーム端末は、
前記出力指示手段により前記出力指示を受ける場合に、前記イベント内容データに対応する文字、画像又は音声を出力する出力手段をさらに含む、
ことを特徴とするゲームシステム。